【手続補正書】
【提出日】平成20年10月29日(2008.10.29)
【手続補正１】
【補正対象書類名】明細書
【補正対象項目名】特許請求の範囲
【補正方法】変更
【補正の内容】
【特許請求の範囲】
【請求項１】  遊技者が所定の遊技を行い、遊技領域に設けられた入賞領域への入賞にもとづいて景品としての景品遊技媒体を払い出すことが可能であるとともに、貸出要求にもとづいて遊技者に貸し出す貸遊技媒体を払い出すことが可能な遊技機であって、
遊技の進行を制御する遊技制御手段と、
遊技媒体の払い出しを行う払出手段と、
前記遊技制御手段からのコマンドにもとづいて前記払出手段の制御を行う払出制御手段と、
前記入賞領域毎にそれぞれ設けられる入賞検出手段と、
遊技の進行に応じて変動する変動データを記憶し、遊技機への電力供給が停止しても所定期間は記憶内容が保持される変動データ記憶手段とを備え、
前記遊技制御手段は、前記入賞検出手段の検出信号にもとづいて景品遊技媒体の払出数を指定するコマンドを払出制御手段に対して送信可能であり、前回送信した払出数を指定するコマンドにもとづく景品遊技媒体の払い出しが完了しているか否かに関わらず、新たな払出数を指定するコマンドを払出制御手段に対して送信する処理を行うことが可能であり、
前記遊技制御手段は、遊技媒体の払い出しを禁止する禁止条件が成立した場合には、遊技媒体の払い出しを禁止することを指定するコマンドを前記払出制御手段に対して送信する処理を行い、
前記払出制御手段は、遊技媒体の払い出しを禁止することを指定するコマンドを受信した場合には、所定の解除条件が成立しない限り、貸出要求が発生した場合であっても貸遊技媒体の払出処理を行わず、
前記遊技制御手段は、定期的に発生するタイマ割込が生じたことにもとづいて遊技制御処理を実行するとともに、前記遊技制御処理に要する時間の余り時間で、遊技の制御に用いられるカウンタを更新する処理を実行し、前記余り時間でカウンタを更新する処理中では割込禁止に設定し、
前記遊技制御手段は、電力供給が停止する際に実行する電力供給停止時処理にて、制御状態を復旧させるために必要なデータとして、少なくとも、電力供給が停止する際の制御状態が割込禁止状態であるか割込許可状態であるかを示す割込状態データと、実行されていた制御プログラムのアドレスに関連するプログラムアドレスデータを含むデータを前記変動データ記憶手段に保存させるためのデータ退避処理を実行し、
電力供給が復旧した場合に、前記変動データ記憶手段に保存されていた記憶内容にもとづいて制御状態を復旧させる状態復旧処理として、前記割込状態データにもとづいて割込禁止状態または割込許可状態に復帰させ、前記プログラムアドレスデータにもとづいて制御プログラムの実行を再開する処理を行う
ことを特徴とする遊技機。
【手続補正２】
【補正対象書類名】明細書
【補正対象項目名】００１４
【補正方法】変更
【補正の内容】
【００１４】
【課題を解決するための手段】
本発明による遊技機は、遊技者が所定の遊技を行い、遊技領域に設けられた入賞領域（例えば、大入賞口、始動入賞口１４、入賞口２９，３０，３３，３９）への入賞にもとづいて景品としての景品遊技媒体を払い出すことが可能であるとともに、貸出要求にもとづいて遊技者に貸し出す貸遊技媒体を払い出すことが可能な遊技機であって、遊技の進行を制御する遊技制御手段（例えばＣＰＵ５６）と、遊技媒体の払い出しを行う払出手段（例えば球払出装置９７）と、遊技制御手段からのコマンドにもとづいて払出手段の制御を行う払出制御手段（例えば払出制御用ＣＰＵ３７１）と、入賞領域毎にそれぞれ設けられる入賞検出手段（例えば入賞口スイッチ２９ａ，３０ａ，３３ａ，３９ａ）と、遊技の進行に応じて変動する変動データを記憶し、遊技機への電力供給が停止しても所定期間は記憶内容が保持される変動データ記憶手段（例えばＲＡＭ５５）とを備え、遊技制御手段が、入賞検出手段の検出信号にもとづいて景品遊技媒体の払出数を指定するコマンド（例えば、払出個数指定コマンド）を払出制御手段に対して送信可能であり、前回送信した払出数を指定するコマンドにもとづく景品遊技媒体の払い出しが完了しているか否かに関わらず、新たな払出数を指定するコマンドを払出制御手段に対して送信する処理（例えばステップＳ２２１〜ステップＳ２３６，ステップＳ２４１〜ステップＳ２５１）を行うことが可能であり、遊技制御手段が、遊技媒体の払い出しを禁止する禁止条件（例えば、下皿満タン状態であるときや、球切れ状態であるときなどの、遊技媒体の払い出しを行うことが適当でない場合に成立する条件。）が成立した場合には、遊技媒体の払い出しを禁止することを指定するコマンドを払出制御手段に対して送信する処理（例えばステップＳ２０１〜ステップＳ２０５）を行い、払出制御手段が、遊技媒体の払い出しを禁止することを指定するコマンド（例えば、払出禁止状態指定コマンド）を受信した場合には、所定の解除条件（例えば、下皿満タン状態が解消されたときや、球切れ状態が解消されたときなどの、遊技媒体の払い出しを禁止する必要がなくなった場合に成立する条件。）が成立しない限り、貸出要求が発生した場合であっても貸遊技媒体の払出処理を行わず、遊技制御手段が、定期的に発生するタイマ割込が生じたことにもとづいて遊技制御処理を実行するとともに、遊技制御処理に要する時間の余り時間で、遊技の制御に用いられるカウンタを更新する処理を実行し、余り時間でカウンタを更新する処理中では割込禁止に設定し、遊技制御手段が、電力供給が停止する際に実行する電力供給停止時処理（例えばステップＳ５１〜ステップＳ７７）にて、制御状態を復旧させるために必要なデータとして、少なくとも、電力供給が停止する際の制御状態が割込禁止状態であるか割込許可状態であるかを示す割込状態データと、実行されていた制御プログラムのアドレスに関連するプログラムアドレスデータを含むデータを変動データ記憶手段に保存させるためのデータ退避処理（例えばステップＳ５１〜ステップＳ５８）を実行し、電力供給が復旧した場合に、変動データ記憶手段に保存されていた記憶内容にもとづいて制御状態を復旧させる状態復旧処理（例えばステップＳ８１〜ステップＳ９５）として、割込状態データにもとづいて割込禁止状態または割込許可状態に復帰させ、プログラムアドレスデータにもとづいて制御プログラムの実行を再開する処理を行うことを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】０３７７
【補正方法】変更
【補正の内容】
【０３７７】
【発明の効果】
以上のように、請求項１記載の発明によれば、遊技機を、遊技制御手段が、入賞検出手段の検出信号にもとづいて景品遊技媒体の払出数を指定するコマンドを払出制御手段に対して送信可能であり、前回送信した払出数を指定するコマンドにもとづく景品遊技媒体の払い出しが完了しているか否かに関わらず、新たな払出数を指定するコマンドを払出制御手段に対して送信する処理を行うことが可能であり、遊技制御手段が、遊技媒体の払い出しを禁止する禁止条件が成立した場合には、遊技媒体の払い出しを禁止することを指定するコマンドを払出制御手段に対して送信する処理を行い、払出制御手段が、遊技媒体の払い出しを禁止することを指定するコマンドを受信した場合には、所定の解除条件が成立しない限り、貸出要求が発生した場合であっても貸遊技媒体の払出処理を行わず、遊技制御手段が、定期的に発生するタイマ割込が生じたことにもとづいて遊技制御処理を実行するとともに、遊技制御処理に要する時間の余り時間で、遊技の制御に用いられるカウンタを更新する処理を実行し、余り時間でカウンタを更新する処理中では割込禁止に設定し、遊技制御手段が、電力供給が停止する際に実行する電力供給停止時処理にて、制御状態を復旧させるために必要なデータとして、少なくとも、電力供給が停止する際の制御状態が割込禁止状態であるか割込許可状態であるかを示す割込状態データと、実行されていた制御プログラムのアドレスに関連するプログラムアドレスデータを含むデータを変動データ記憶手段に保存させるためのデータ退避処理を実行し、電力供給が復旧した場合に、変動データ記憶手段に保存されていた記憶内容にもとづいて制御状態を復旧させる状態復旧処理として、割込状態データにもとづいて割込禁止状態または割込許可状態に復帰させ、プログラムアドレスデータにもとづいて制御プログラムの実行を再開する処理を行うように構成したので、入賞に応じて迅速な景品遊技媒体の払い出しを可能にするとともに、停電等による不測の電力供給停止が発生した場合であっても、電力の供給が再開されたときに電力供給停止前の制御状態に復旧させることが可能となり、かつ、禁止条件が成立している状態で貸遊技媒体を払い出してしまうことにより不具合が発生してしまうことを防止することができる効果がある。
【手続補正１７】
【補正対象書類名】明細書
【補正対象項目名】０３７８
【補正方法】削除
【補正の内容】
【手続補正１８】
【補正対象書類名】明細書
【補正対象項目名】０３７９
【補正方法】削除
【補正の内容】
【手続補正１９】
【補正対象書類名】明細書
【補正対象項目名】０３８０
【補正方法】削除
【補正の内容】
【手続補正２０】
【補正対象書類名】明細書
【補正対象項目名】０３８１
【補正方法】削除
【補正の内容】
【手続補正２１】
【補正対象書類名】明細書
【補正対象項目名】０３８２
【補正方法】削除
【補正の内容】
【手続補正２２】
【補正対象書類名】明細書
【補正対象項目名】０３８３
【補正方法】削除
【補正の内容】
【手続補正２３】
【補正対象書類名】明細書
【補正対象項目名】０３８４
【補正方法】削除
【補正の内容】
【手続補正２４】
【補正対象書類名】明細書
【補正対象項目名】０３８５
【補正方法】削除
【補正の内容】
【手続補正２５】
【補正対象書類名】明細書
【補正対象項目名】０３８６
【補正方法】削除
【補正の内容】
【手続補正２６】
【補正対象書類名】明細書
【補正対象項目名】０３８７
【補正方法】削除
【補正の内容】
【手続補正２７】
【補正対象書類名】明細書
【補正対象項目名】０３８８
【補正方法】削除
【補正の内容】
【手続補正２８】
【補正対象書類名】明細書
【補正対象項目名】０３８９
【補正方法】削除
【補正の内容】
【手続補正２９】
【補正対象書類名】明細書
【補正対象項目名】０３９０
【補正方法】削除
【補正の内容】